(57)【要約】【課題】信号線で生じるノイズを除去できるとともに、当該信号線に接続された装置に荷重が加わらないようにすることができる電子機器及びノイズ除去部材を提供すること。【解決手段】回路素子が実装される回路基板５と、回路基板５と信号線４６を介して接続され、かつ、回路基板５からの信号の入力及び回路基板５への信号の出力のうち少なくともいずれかを行う処理装置４４１とを備えた電子機器１であって、回路基板５は、信号線４６が接続される接続部５１と、信号線４６が挿通する孔部５２と、孔部５２に取り付けられ、かつ、信号線４６を囲んで信号線４６から生じるノイズを除去するノイズ除去部材７とを有する。これによれば、ノイズ除去部材７は回路基板５に支持されるので、当該ノイズ除去部材７の荷重が信号線及び処理装置４４１に加わることを防ぐことができる。【選択図】図７
2009118328.tif 000002
【特許請求の範囲】
【請求項１】
回路素子が実装される回路基板と、当該回路基板と信号線を介して接続され、かつ、当該回路基板からの信号の入力及び前記回路基板への信号の出力のうち少なくともいずれかを行う処理装置とを備えた電子機器であって、
前記回路基板は、
前記信号線が接続される接続部と、
前記信号線が挿通する孔部と、
前記孔部に取り付けられ、前記信号線から生じるノイズを除去するノイズ除去部材とを有することを特徴とする電子機器。
【請求項２】
請求項１に記載の電子機器において、
前記ノイズ除去部材は、前記回路基板に当接する当接部を有することを特徴とする電子機器。
【請求項３】
請求項２に記載の電子機器において、
前記回路基板は、鉛直方向に対して交差するように配置され、
前記当接部は、前記鉛直方向に対向する面に当接することを特徴とする電子機器。
【請求項４】
請求項１から請求項３のいずれかに記載の電子機器において、
当該電子機器は、
前記ノイズ除去部材に当接して、当該ノイズ除去部材の前記孔部からの脱落を防止する押さえ部を有することを特徴とする電子機器。
【請求項５】
請求項４に記載の電子機器において、
前記回路基板及び前記処理装置を内部に収納する筐体を備え、
前記筐体には、前記押さえ部が一体的に形成されていることを特徴とする電子機器。
【請求項６】
請求項２又は請求項３に記載の電子機器において、
前記ノイズ除去部材は、
前記信号線が挿通する挿通孔を有するノイズ除去部と、
当該ノイズ除去部を覆い、かつ、弾性材料により形成された被覆部とを備え、
前記被覆部は、前記当接部と、当該当接部が当接する前記回路基板の面とは反対側の面に当接する他の当接部とを備えることを特徴とする電子機器。
【請求項７】
請求項６に記載の電子機器において、
前記挿通孔の内側は、前記被覆部により被覆されることを特徴とする電子機器。
【請求項８】
所定の処理を実行する処理装置と信号線を介して接続される回路基板における当該信号線が挿通する孔部に取り付けられるノイズ除去部材であって、
前記信号線が挿通する挿通孔と、
前記回路基板に当接する当接部とを有することを特徴とするノイズ除去部材。
【発明の詳細な説明】
【技術分野】
【０００１】
本発明は、電子機器及びノイズ除去部材に関する。
【背景技術】
【０００２】
従来、光源と、当該光源から射出された光束を画像情報に応じて変調する光変調装置と、変調された光束をスクリーン等の投射面上に拡大投射する投射光学装置とを備えたプロジェクタが知られている。このようなプロジェクタとして、光源から射出された光束を、赤（Ｒ）、緑（Ｇ）及び青（Ｂ）の各色光に分離する分離光学装置と、当該色光ごとに設けられた光変調装置としての３つの液晶パネルと、当該各液晶パネルにより変調された色光を合成してカラー画像を形成する色合成光学装置としてのクロスダイクロイックプリズム（以下、「プリズム」と略す場合がある）とを備えた、いわゆる三板式プロジェクタが知られている。また、このような液晶パネルに画像情報を出力するとともに、プロジェクタ全体を制御する回路基板を備えたプロジェクタが知られている（例えば、特許文献１参照）。
【０００３】
この特許文献１に記載のプロジェクタでは、外部から入力した画像情報は、回路基板である制御基板により処理され、当該画像情報は、液晶パネルに接続されたフレキシブルプリント基板（ＦＰＣ）等の制御用ケーブルに出力される。そして、当該液晶パネルは、入力した画像情報としての駆動信号に応じて駆動することで、当該画像情報に応じた画像が形成される。
【０００４】
ところで、このようなプロジェクタの駆動時には、回路基板からノイズ（電磁波）が発生する。このような電磁波が外部に漏れると、当該電磁波の影響により、プロジェクタの周囲に位置する他の機器にて誤動作及び機能低下が生じる可能性がある。このため、電磁波を外部に漏れないようにＥＭＩ（Electro-Magnetic Interference，電磁干渉）対策を施す必要があるが、前述のプロジェクタでは、回路基板から液晶パネルに延出する信号線がアンテナとなり、電磁波が外部に漏れやすい構成となっている。このような問題に対し、ＦＰＣの外周にフェライト製のノイズ除去部材を設けることで、当該信号線からノイズが外部に漏れないようにしている。
【０００５】
【特許文献１】特開２００５−２７４７４４号公報
【発明の開示】
【発明が解決しようとする課題】
【０００６】
しかしながら、信号線の周囲にノイズ除去部材を設けると、当該ノイズ除去部材の荷重が信号線に加わり、液晶パネルが位置ずれを起こす要因となるという問題がある。
ここで、前述の三板式プロジェクタの場合には、各液晶パネルは、プリズム及び投射光学装置に対する適切な位置に固定される。このような液晶パネルにノイズ除去部材の重さが加わって当該液晶パネルが位置ずれを起こすと、当該液晶パネルにより形成された画像光の透過領域が他の液晶パネルにより形成された画像光の透過領域と異なってしまい、投射光学装置により投影された画像が劣化するという問題がある。このため、信号線からのノイズを除去することができるとともに、当該信号線が接続された液晶パネルに荷重が加わらないようにすることができる構成が要望されてきた。
【０００７】
本発明の目的は、信号線で生じるノイズを除去することができるとともに、当該信号線に接続された装置に荷重が加わらないようにすることができる電子機器及びノイズ除去部材を提供することである。
【課題を解決するための手段】
【０００８】
前記した目的を達成するために、本発明の電子機器は、回路素子が実装される回路基板と、当該回路基板と信号線を介して接続され、かつ、当該回路基板からの信号の入力及び前記回路基板への信号の出力のうち少なくともいずれかを行う処理装置とを備えた電子機器であって、前記回路基板は、前記信号線が接続される接続部と、前記信号線が挿通する孔部と、前記孔部に取り付けられ、前記信号線から生じるノイズを除去するノイズ除去部材とを有することを特徴とする。
【０００９】
ここで、ノイズ除去部材としては、透磁率が高く、電気抵抗の高いフェライトを有する構成を例示することができる。また、処理装置としては、電子機器がプロジェクタとして構成されている場合には、回路基板から電気信号としての画像情報に応じて入射光束を変調する液晶パネル等の光変調装置を例示することができる。
本発明によれば、信号線から生じるノイズを除去するノイズ除去部材が、回路基板の孔部に取り付けられるので、当該ノイズ除去部材の荷重が信号線に加わることを防ぐことができる。従って、信号線から生じたノイズを除去することができるので、電子機器のＥＭＩ対策を施すことができるとともに、信号線にノイズ除去部材の荷重が加わることによって処理装置に当該荷重が加わることを防ぐことができる。また、これにより、処理装置に位置ずれが生じることを防ぐことができ、当該処理装置が光変調装置である場合には、ノイズ除去部材の荷重による光変調装置の位置ずれを防止することができ、画像の劣化を防止することができる。
【００１０】
本発明では、前記ノイズ除去部材は、前記回路基板に当接する当接部を有することが好ましい。
本発明によれば、ノイズ除去部材の当接部が、回路基板に近接する方向への荷重に対して抗するので、ノイズ除去部材が当該方向に沿って回路基板から脱落することを防ぐことができる。従って、ノイズ除去部材と回路基板との係合状態を維持しやすくすることができるので、当該ノイズ除去部材の荷重が信号線及び処理装置に加わることをより確実に防ぐことができる。
【００１１】
本発明では、前記回路基板は、鉛直方向に対して交差するように配置され、前記当接部は、前記鉛直方向に対向する面に当接することが好ましい。
本発明によれば、ノイズ除去部材の当接部が、回路基板における鉛直方向に対向する面に当接するので、回路基板からのノイズ除去部材の脱落を一層確実に防止することができる。特に、ノイズ除去部材が信号線を把持し、当該信号線及び処理装置によりノイズ除去部材が鉛直方向に引かれる場合に一層効果的である。
【００１２】
本発明では、当該電子機器は、前記ノイズ除去部材に当接して、当該ノイズ除去部材の前記孔部からの脱落を防止する押さえ部を有することが好ましい。
ここで、電子機器がプロジェクタとして構成されている場合には、当該電子機器の配置状態として、鉛直方向に沿うように設置面上に載置される正置き状態と、上下を逆にして鉛直方向に抗するように天井等に取り付けられる天吊り状態とが考えられる。このため、これらのうちのいずれかの状態に電子機器を配置した場合に、ノイズ除去部材の当接部と回路基板の実装面との当接状態が外れ、孔部からノイズ除去部材が脱落してしまうことが考えられる。
これに対し、本発明では、押さえ部により、ノイズ除去部材が回路基板の孔部から脱落することを防ぐことができる。従って、電子機器の配置状態に関らず、前述の効果を確実に奏することができる。なお、押さえ部は、常時ノイズ除去部材を押さえている必要はなく、当該ノイズ除去部材の脱落を防止することができればよい。
【００１３】
本発明では、前記回路基板及び前記処理装置を内部に収納する筐体を備え、前記筐体には、前記押さえ部が一体的に形成されていることが好ましい。
本発明によれば、筐体に押さえ部が形成されていることにより、ノイズ除去部材を孔部に押さえる部材を別途設ける必要がない。これによれば、電子機器の部品点数の増加を抑制することができる。
【００１４】
或いは、本発明では、前記ノイズ除去部材は、前記信号線が挿通する挿通孔を有するノイズ除去部と、当該ノイズ除去部を覆い、かつ、弾性材料により形成された被覆部とを備え、前記被覆部は、前記当接部と、当該当接部が当接する前記回路基板の面とは反対側の面に当接する他の当接部とを備えることが好ましい。
本発明によれば、ノイズ除去部材が他の当接部を有していることにより、当接部と他の当接部とにより回路基板を挟むことができるので、ノイズ除去部材が孔部から脱落することを確実に防止することができる。また、被覆部により覆われるノイズ除去部が、信号線が挿通する挿通孔を有していることにより、当該ノイズ除去部が信号線を確実に囲むことができる。従って、ノイズ除去部材の荷重が信号線に加わることなく、当該信号線のノイズを確実に除去することができる。更に、当接部と他の当接部とを有する被覆部が弾性材料により形成されていることにより、孔部に対してノイズ除去部材を簡易に着脱させることができる。なお、ノイズ除去部は、フェライトにより形成することができる。
【００１５】
本発明では、前記挿通孔の内側は、前記被覆部により被覆されることが好ましい。
本発明によれば、挿通孔の内側は、弾性材料により形成された被覆部により覆われるので、当該挿通孔を挿通する信号線とノイズ除去部材とを密着させることができる。これによれば、回路基板における実装面側と、当該実装面とは反対側の面側とを区画することができる。従って、回路基板の一方の側に空気を流通させる場合には、当該空気が当該一方の側から他方の側に挿通孔を介して流通することを防ぐことができるので、回路基板の各面側を熱的に区画することができるほか、当該空気に乗って塵埃等が他方の側に流入することを防ぐことができる。
【００１６】
また、本発明のノイズ除去部材は、所定の処理を実行する処理装置と信号線を介して接続される回路基板における当該信号線が挿通する孔部に取り付けられるノイズ除去部材であって、前記信号線が挿通する挿通孔と、前記回路基板に当接する当接部とを有することを特徴とする。
本発明によれば、前述の電子機器と同様の効果を奏することができる。すなわち、信号線が挿通孔を挿通するので、ノイズ除去部材が信号線を確実に囲むことができ、これにより、当該信号線を電流が流れることにより生じるノイズを除去することができる。また、当接部を備えたことにより、回路基板に対してノイズ除去部材を固定することができるので、当該ノイズ除去部材の荷重が処理装置に加わることを防ぐとともに、ノイズ除去部材の回路基板からの脱落を防止することができる。
【発明を実施するための最良の形態】
【００１７】
〔１．第一実施形態〕
以下、本発明の第一実施形態を図面に基づいて説明する。
〔プロジェクタ１の外観構成〕
図１は、本実施形態に係るプロジェクタ１を上方前面側から見た斜視図である。
本実施形態のプロジェクタ１は、光源から射出された光束を画像情報に応じて変調し、当該変調された光束をスクリーン等の投射面上に拡大投射する電子機器である。このプロジェクタ１は、図１に示すように、外装ケース２と、当該外装ケース２から露出する投射レンズ３と、外装ケース２内に収納される光学ユニット４、制御基板５及び電源ユニット６を含む装置本体（図２参照）とを備える。
【００１８】
外装ケース２は、略直方体形状を有する合成樹脂製の筐体であり、角部分が曲面状に形成されている。このような外装ケース２は、当該外装ケース２の上面、左右の側面及び背面を形成するアッパーケース２１と、底面を形成するロアーケース２２と、正面を形成するフロントケース２３とを備える。
【００１９】
アッパーケース２１の上面２１Ａにおける背面側には、プロジェクタ１の起動及び調整操作を行うための操作スイッチ２１２が配設された操作パネル２１１が、左右方向に延びるように設けられている。
また、この上面２１Ａの正面側（図１における手前側）には、投射レンズ３の位置を調整する位置調整機構（図示省略）を構成する２つのダイアル３１１，３２１が露出している。そして、ダイアル３１１を手前側（Ｙ１方向）及び背面側（Ｙ２方向）に回動させると、投射レンズ３がそれぞれ上方向（Ｙ４方向）及び下方向（Ｙ３方向）に動き、ダイアル３２１を背面側から見て右方向（Ｘ１方向）及び左方向（Ｘ２方向）に回動させると、投射レンズ３がそれぞれ右方向（Ｘ３方向）及び左方向（Ｘ４方向）に動くこととなる。
【００２０】
ロアーケース２２の底面（設置面に対向する面）の背面側略中央には、固定脚部（図示省略）が設けられ、正面側の両端には、それぞれ、調整脚部２２１が設けられている。
調整脚部２２１は、底面から面外方向（図１における下方向）に進退自在に突出する軸状部材２２２（図２参照）を備えており、投射時におけるプロジェクタ１の上下方向（煽り方向）および左右方向の傾斜位置を調整可能としている。
【００２１】
フロントケース２３の一方の端部側（図１における右側）には、投射レンズ３を露出させる開口２３１が形成されている。
この開口２３１を介して露出する投射レンズ３は、後述する光学ユニット４により形成された画像光を拡大投射する投射光学装置としての機能を具備するものであり、鏡筒３１内部に複数のレンズが収納された組レンズとして構成されている。
【００２２】
〔プロジェクタ１の内部構成〕
図２は、プロジェクタ１の内部構成を示す図である。換言すると、図２は、アッパーケース２１及びフロントケース２３を外した状態のプロジェクタ１を示す斜視図である。
外装ケース２の内部には、前述のように、光学ユニット４と、この光学ユニット４の上方に配置される回路基板としての制御基板５と、電源ユニット６とが配置されている。
【００２３】
このうち、制御基板５は、ＣＰＵ（Central Processing Unit）等が実装された回路基板として構成され、プロジェクタ１全体を制御する。また、制御基板５は、信号線としてのフレキシブルプリント基板（ＦＰＣ）４６を介して、光学ユニット４の後述する液晶パネル４４１と接続されており、当該液晶パネル４４１に画像情報に係る駆動信号を出力する。なお、制御基板５の構成については、後に詳述する。
電源ユニット６は、ロアーケース２２における正面側に設けられている。この電源ユニット６は、外部から供給される商用交流電流を直流変換した後、昇圧及び降圧して、当該直流電流をプロジェクタ１の各電子部品に供給する。
【００２４】
〔光学ユニット４の構成〕
図３は、光学ユニット４の光学系を示す模式図である。
光学ユニット４は、光源から射出された光束を変調して、画像情報に応じた画像光を形成する。この画像光は、投射レンズ３により投射面上に投影される。
この光学ユニット４は、図３に示すように、照明光学装置４１と、色分離光学装置４２と、リレー光学装置４３と、電気光学装置４４と、これら各装置４１−４４を収納配置する光学部品用筐体４５とを備えている。
【００２５】
照明光学装置４１は、電気光学装置４４の後述する液晶パネル４４１の画像形成領域を均一に照明する。この照明光学装置４１は、光源装置４１１、第一レンズアレイ４１２、第二レンズアレイ４１３、偏光変換素子４１４及び重畳レンズ４１５を備える。
光源装置４１１は、放射状の光線を射出する光源ランプ４１１Ａと、当該光源ランプ４１１Ａから射出された放射光を反射して所定位置に収束させるリフレクタ４１１Ｂと、リフレクタ４１１Ｂにて収束される光束を照明光軸Ａに対して平行化する平行化凹レンズ４１１Ｃとを備えている。
【００２６】
第一レンズアレイ４１２及び第二レンズアレイ４１３は、それぞれ対応する小レンズがマトリクス状に配列された構成を有し、第一レンズアレイ４１２は、光源装置４１１から入射した光束を複数の部分光束に分割して、第二レンズアレイ４１３近傍に結像させる。
第二レンズアレイ４１３は、光路後段に位置する重畳レンズ４１５とともに、第一レンズアレイ４１２の各小レンズから射出された像を、電気光学装置４４の後述する液晶パネル４４１の画像形成領域に結像させる。
偏光変換素子４１４は、第二レンズアレイ４１３から入射した各部分光束を、略１種類の直線偏光光に変換する。
【００２７】
色分離光学装置４２は、２枚のダイクロイックミラー４２１，４２２及び反射ミラー４２３を備え、照明光学装置４１から射出された複数の部分光束を赤（Ｒ）、緑（Ｇ）、青（Ｂ）の３色の色光に分離する。このような色分離光学装置４２により分離された３色の色光のうち、赤色光及び緑色光は、集光レンズ４１９を介して赤色光用及び緑色光用の入射側偏光板４４２にそれぞれ入射し、青色光は、リレー光学装置４３及び集光レンズ４１９を介して青色光用の入射側偏光板４４２に入射する。
【００２８】
リレー光学装置４３は、色分離光学装置４２で分離された青色光を、後述する青色光用の液晶パネル４４１Ｂまで導くものであり、入射側レンズ４３１、リレーレンズ４３３及び反射ミラー４３２，４３４を備えている。このようなリレー光学装置４３が青色光の光路上に配置されているのは、青色光の光路の長さが他の色光の光路の長さよりも長いので光の拡散等による光の利用効率の低下を防止するためである。なお、リレー光学装置４３には、３つの色光のうち青色光を通す構成としたが、これに限らず、例えば、赤色光を通す構成としてもよい。
【００２９】
電気光学装置４４は、入射した光束を制御基板５から入力する駆動信号に応じて変調してカラー画像に係る画像光を形成する。この電気光学装置４４は、光変調装置としての３つの液晶パネル４４１（赤色光側の液晶パネルを４４１Ｒ、緑色光側の液晶パネルを４４１Ｇ、青色光側の液晶パネルを４４１Ｂとする）と、各液晶パネル４４１の光路前段側に配置される３つの入射側偏光板４４２と、各液晶パネル４４１の光路後段側に配置される３つの射出側偏光板４４３と、クロスダイクロイックプリズム（以下、単にプリズムと略す場合がある）４４４とを備える。このうち、各液晶パネル４４１、各射出側偏光板４４３及びプリズム４４４は、一体的に組み合わされたユニットとして構成されている。
【００３０】
３つの入射側偏光板４４２は、色分離光学装置４２で分離された各色光のうち、偏光変換素子４１４で揃えられた偏光方向と略同一の偏光方向を有する偏光光のみ透過させ、その他の光束を吸収する。
３つの液晶パネル４４１は、本発明の処理装置に相当する。これら液晶パネル４４１は、一対の透明なガラス基板に電気光学物質である液晶が密閉封入された構成を有し、ＦＰＣ４６を介して制御基板５から入力する駆動信号に応じて液晶の配向状態が制御されることで、入射側偏光板４４２から射出された偏光光の偏光方向を変調する。
３つの射出側偏光板４４３は、液晶パネル４４１を介して射出された光束のうち、一定方向の偏光光（例えば、入射側偏光板４４２における光束の透過軸と直交する偏光軸を有する光束）を透過し、その他の光を吸収する。
【００３１】
プリズム４４４は、各射出側偏光板４４３から射出された変調光を合成してカラー画像を形成する色合成光学装置である。このプリズム４４４は、４つの直角プリズムを貼り合わせた平面視略正方形状を有し、直角プリズム同士を貼り合わせた界面には、２つの誘電体多層膜が形成されている。これら誘電体多層膜は、液晶パネル４４１Ｇから射出され、かつ、射出側偏光板４４３を介した色光を透過し、液晶パネル４４１Ｒ，４４１Ｂから射出され、かつ、射出側偏光板４４３を介した各色光を反射する。これにより、赤色光、緑色光及び青色光が合成された画像光が形成される。なお、このプリズム４４４は、投射レンズ３を保持する保持部材（図示省略）に設けられたプリズム載置面上に載置される。
【００３２】
〔制御基板５の構成〕
図４及び図５は、制御基板５を上側（電気光学装置４４が位置する側とは反対側）及び下側（電気光学装置４４が位置する側）から見た斜視図である。また、図６は、制御基板５に取り付けられるノイズ除去部材７の取付方向を示す斜視図である。
制御基板５は、前述のように、光学ユニット４の上方に配置される。すなわち、制御基板５は、アッパーケース２１と光学ユニット４との間に、当該アッパーケース２１の上面２１Ａに沿って配置される。
【００３３】
この制御基板５におけるアッパーケース２１に対向する面は、各回路素子が実装される実装面５Ａであり、当該実装面５Ａは、プロジェクタ１が正置き状態とされた際には、鉛直方向に対向する面となる。このような実装面５Ａには、図４〜図６に示すように、ＦＰＣ４６の一端が接続される接続部としての３つのコネクタ５１（液晶パネル４４１Ｒから延出するＦＰＣ４６が接続されるコネクタを５１Ｒ、液晶パネル４４１Ｇから延出するＦＰＣ４６が接続されるコネクタを５１Ｇ、液晶パネル４４１Ｂから延出するＦＰＣ４６が接続されるコネクタを５１Ｂとする）（図４及び図６）が実装されている。また、制御基板５には、各コネクタ５１近傍で、かつ、制御基板５の下方に配置される各液晶パネル４４１に対応する位置に、各ＦＰＣ４６がそれぞれ挿通する平面視略長円形状の３つの孔部５２（図５及び図６）が形成されている。
【００３４】
これら孔部５２には、ＦＰＣ４６を駆動信号（電流）が流れることによって生じるノイズを除去するノイズ除去部材７がそれぞれ設けられている。これらノイズ除去部材７は、本実施形態では、透磁率が高く、かつ、電気抵抗の高いフェライトにより形成された一体成形品である。このようなノイズ除去部材７は、図６に示すように、ＦＰＣ４６が挿通する挿通孔７１と、孔部５２内に嵌合される嵌合部７２と、制御基板５の実装面５Ａに当接する当接部７３とを有している。
【００３５】
挿通孔７１は、ＦＰＣ４６が挿通しやすいように、平面視略長円形状を有している。
嵌合部７２は、孔部５２に応じた形状及び寸法を有し、当該孔部５２内に配置される。この嵌合部７２を上下に貫通するように、挿通孔７１は形成されている。
当接部７３は、嵌合部７２より大きな寸法を有し、嵌合部７２の外側に延出するように形成されている。この当接部７３が、制御基板５の実装面５Ａに当接することにより、ノイズ除去部材７が制御基板５に支えられるとともに、当該ノイズ除去部材７が制御基板５における下方側、すなわち、制御基板５における電気光学装置４４が位置する面５Ｂ側に脱落することが防がれる。
【００３６】
〔ノイズ除去部材７の取付〕
図７は、プロジェクタ１を示す断面図であり、詳述すると、制御基板５、電気光学装置４４及びノイズ除去部材７を示す断面図である。
ノイズ除去部材７を制御基板５の孔部５２に取り付ける際には、図７に示すように、一端が液晶パネル４４１に接続されたＦＰＣ４６の他端を、ノイズ除去部材７の下側、すなわち、当接部７３が形成されていない側の端部側から挿通孔７１に挿通させる。この後、嵌合部７２が孔部５２に嵌り込み、かつ、当接部７３が制御基板５の実装面５Ａに当接するように、ノイズ除去部材７を孔部５２に取り付ける。そして、各ＦＰＣ４６の他端をコネクタ５１にそれぞれ接続する。
【００３７】
ここで、アッパーケース２１の内面２１Ｂ（ロアーケース２２に対向する面）には、図７に示すように、当該内面２１Ｂから面外方向に突出した押さえ部２１３が３つ形成されている。これら押さえ部２１３は、それぞれ、孔部５２に取り付けられたノイズ除去部材７の位置に対応するように形成されている。そして、アッパーケース２１とロアーケース２２とを組み合わせた場合には、当該押さえ部２１３がノイズ除去部材７における当接部７３が形成された側を押さえ、これにより、ノイズ除去部材７の制御基板５からの脱落が防止される。
なお、これら押さえ部２１３は、ノイズ除去部材７に常時当接していなくてもよく、プロジェクタ１を動かした場合（例えば、プロジェクタ１を上下逆にした場合）に、ノイズ除去部材７に当接して、当該ノイズ除去部材７が制御基板５から脱落することを防止できればよい。
【００３８】
以上説明した本実施形態のプロジェクタ１によれば、以下の効果がある。
（１）ＦＰＣ４６が挿通する制御基板５の孔部５２に、当該ＦＰＣ４６が挿通する挿通孔７１を有するノイズ除去部材７が設けられていることにより、当該ＦＰＣ４６で生じるノイズを除去することができ、ＥＭＩ対策を施すことができる。
【００３９】
（２）ノイズ除去部材７は、制御基板５の実装面５Ａに当接する当接部７３を有しているので、ノイズ除去部材７を制御基板５に留めておくことが容易となる。ここで、プロジェクタ１が正置き状態にあるときは、制御基板５は、実装面５Ａが鉛直方向に対向するように配置されている。このため、当該実装面５Ａに当接する当接部７３により、制御基板５からのノイズ除去部材７の鉛直方向への脱落を確実に防止することができるだけでなく、当該ノイズ除去部材７の荷重がＦＰＣ４６に加わることを防ぐことができる。従って、ＦＰＣ４６を介してノイズ除去部材７の荷重が液晶パネル４４１に伝わることを防ぐことができ、プリズム４４４に対して液晶パネル４４１が位置ずれを起こすことを防ぐことができる。また、これにより、各液晶パネル４４１により形成され、プリズム４４４によって合成されるカラー画像の劣化を防止することができる。
【００４０】
（３）ノイズ除去部材７は、押さえ部２１３により、孔部５２内に嵌合した状態で維持される。これによれば、プロジェクタ１が上下逆にされた場合でも、ノイズ除去部材７が制御基板５から脱落して、当該ノイズ除去部材７の荷重がＦＰＣ４６に加わることを防ぐことができる。従って、プロジェクタ１の姿勢に関らず、前述の効果を確実に奏することができる。
更に、アッパーケース２１に押さえ部２１３が形成されていることにより、ノイズ除去部材７を押さえる部材を別途設ける必要がない。従って、プロジェクタ１の部品点数の増加を抑えることができる。
【００４１】
〔２．第二実施形態〕
次に、本発明の第二実施形態に係るプロジェクタ１Ａについて説明する。
本実施形態のプロジェクタ１Ａは、前述のプロジェクタ１と同様の構成を備えるが、当該プロジェクタ１では、制御基板５の孔部５２に設けられたノイズ除去部材７は、アッパーケース２１に形成された押さえ部２１３により押さえられていたが、プロジェクタ１Ａでは、ノイズ除去部材８は、制御基板５を挟持するように当該制御基板５の孔部５２に取り付けられる点で、当該プロジェクタ１Ａとプロジェクタ１とは相違する。なお、以下の説明では、既に説明した部分と同一または略同一である部分については、同一の符号を付して説明を省略する。
【００４２】
図８は、本実施形態に係るプロジェクタ１Ａの断面図であり、詳述すると、制御基板５、電気光学装置４４及びノイズ除去部材８を示す断面図である。
プロジェクタ１Ａは、前述のように、ノイズ除去部材７の代わりに、ノイズ除去部材８を有するほかは、プロジェクタ１と同様の構成を備えている。なお、プロジェクタ１Ａのアッパーケース２１には、押さえ部２１３は形成されていない。
【００４３】
ノイズ除去部材８は、図８に示すように、孔部５２の内側に位置するノイズ除去部８１と、当該ノイズ除去部８１を覆う被覆部８２とを備えている。
このうち、ノイズ除去部８１は、前述のノイズ除去部材７と同様に、フェライトにより形成されている。そして、このノイズ除去部８１は、孔部５２の形状及び寸法に応じて平面視長円形状を有する筒状に形成されている。そして、ノイズ除去部８１には、当該ノイズ除去部８１の軸方向に沿って貫通し、内部をＦＰＣ４６が挿通する挿通孔８１１が形成されている。
【００４４】
被覆部８２は、ノイズ除去部８１全体を覆うように、ゴム等の弾性材料により形成されており、当該被覆部８２は、嵌合部８２１、挿通孔８２２及び当接部８２３，８２４を備えている。
嵌合部８２１は、ノイズ除去部材８が孔部５２に取り付けられた際に、前述のノイズ除去部８１とともに、孔部５２の内側に配置される。この嵌合部８２１におけるノイズ除去部８１の挿通孔８１１の内側に、ＦＰＣ４６が挿通する挿通孔８２２が形成されている。すなわち、ノイズ除去部８１の挿通孔８１１の内側は、被覆部８２により被覆され、当該挿通孔８１１の内側に、挿通孔８２２が形成されている。この挿通孔８２２は、ＦＰＣ４６の厚さ寸法及び幅寸法に応じて形成されており、当該挿通孔８２２内においては、被覆部８２とＦＰＣ４６とは互いに接触する。これにより、制御基板５における実装面５Ａ側と、電気光学装置４４が位置する面５Ｂ側とは、孔部５２を介して空気が流通しないように分離される。
【００４５】
当接部８２３，８２４は、挿通孔８２２の実装面５Ａ側及び面５Ｂ側の開口端縁から外側に広がるように延出して形成され、制御基板５を挟持する。
具体的に、ノイズ除去部材８が孔部５２に取り付けられた際に、当接部８２３は、実装面５Ａ側に露出して、当該実装面５Ａに当接する一方で、当接部８２４は、面５Ｂ側に露出して、当該面５Ｂに当接する。すなわち、当接部８２３，８２４は、それぞれ本発明の当接部及び他の当接部に相当する。このような当接部８２３，８２４により、ノイズ除去部材８が孔部５２から脱落することが防止される。
【００４６】
以上説明した本実施系他のプロジェクタ１Ａによれば、前述のプロジェクタ１が奏することのできる効果（１），（２）と同様の効果を奏することができるほか、以下の効果を奏することができる。
（４）ノイズ除去部材８は、制御基板５の実装面５Ａに当接する当接部８２３と、当該実装面５Ａとは反対側の面５Ｂに当接する当接部８２４とを有し、これら当接部８２３，８２４は制御基板５を挟持する。これによれば、ノイズ除去部材８が孔部５２から実装面５Ａ側及び面５Ｂ側に脱落することを防ぐことができる。また、当接部８２３，８２４は、弾性材料により形成されているので、孔部５２に対してノイズ除去部材８を簡易に着脱させることができる。
【００４７】
〔３．実施形態の変形〕
本発明は前述の実施形態に限定されるものではなく、本発明の目的を達成できる範囲での変形、改良等は本発明に含まれるものである。
前記各実施形態では、当接部７３，８２３により、ノイズ除去部材７，８の制御基板５からの鉛直方向への脱落が防止されるとしたが、本発明はこれに限らない。すなわち、ノイズ除去部材は、必ずしも当接部を備えた構成でなくてもよい。例えば、ノイズ除去部材は、接着剤等により、制御基板に固定されてもよい。
【００４８】
前記第一実施形態では、当接部７３は、孔部５２の外周端縁を覆うように嵌合部７２から延出するように形成され、当該当接部７３は、制御基板５の実装面５Ａに当接するとしたが、本発明はこれに限らない。すなわち、当接部７３は、実装面５Ａとは反対側の面５Ｂに当接していてもよい。また、ノイズ除去部材７の制御基板５からの脱落を防止することができるのであれば、ノイズ除去部材の形状は問わない。
【００４９】
前記第一実施形態では、ノイズ除去部材７の制御基板５からの脱落を防止する押さえ部２１３は、アッパーケース２１の内面２１Ｂに形成されているとしたが、本発明はこれに限らない。すなわち、制御基板５に別途取り付けられる部材により、ノイズ除去部材７を押さえる構成としてもよい。更には、ノイズ除去部材７は、接着剤等により、制御基板５に固定されていてもよい。
【００５０】
前記第二実施形態では、ノイズ除去部材８の被覆部８２は、ゴムにより形成されているとしたが、本発明はこれに限らず、弾性を有していれば、合成樹脂等の他の材料により形成してもよい。
また、被覆部８２は、ノイズ除去部８１の開口８１１の内側も被覆するとしたが、本発明はこれに限らない。すなわち、開口８１１の内側とＦＰＣ４６との間には、所定の隙間が形成されていてもよい。
【００５１】
前記各実施形態では、制御基板５は、鉛直方向に交差するように配置されるとしたが、本発明はこれに限らない。例えば、ノイズ除去部材が取り付けられる回路基板は、鉛直方向に沿って配置されていてもよく、ノイズ除去部材が、当該回路基板に対して水平方向に沿うように取り付けられていてもよい。
【００５２】
前記各実施形態では、プロジェクタ１は、３つの液晶パネル４４１を備えるとしたが、本発明はこれに限らない。すなわち、２つ以下、あるいは、４つ以上の液晶パネルを用いたプロジェクタにも、本発明を適用可能である。
また、前記各実施形態では、光学ユニット４は平面視略Ｌ字形状を有した構成を説明したが、これに限らず、例えば、平面視略Ｕ字形状を有した構成を採用してもよい。
さらに、前記各実施形態では、光束入射面と光束射出面とが異なる透過型の液晶パネル４４１を用いていたが、光入射面と光射出面とが同一となる反射型の液晶パネルを用いてもよい。
【００５３】
前記各実施形態では、光変調装置として液晶パネル４４１を備えたプロジェクタ１を例示したが、入射光束を画像情報に応じて変調して光学像を形成する光変調装置であれば、他の構成の光変調装置を採用してもよい。例えば、マイクロミラーを用いたデバイスなど、液晶以外の光変調装置を用いたプロジェクタにも、本発明を適用することも可能である。このような光変調装置を用いた場合、光束入射側及び光束射出側の偏光板４４２，４４３は省略することができる。
【００５４】
前記各実施形態では、処理装置として液晶パネル４４１を例示したが、本発明はこれに限らない。すなわち、処理装置としては、制御基板５から入力する電気信号に基づいて所定の処理を実行する処理装置、及び、制御基板５に取得した情報に係る電気信号を出力する処理装置を挙げることができる。例えば、このような処理装置として、電源装置（例えば、前記各実施形態における電源ユニット６）等を例示することができる。
【００５５】
前記各実施形態では、電子機器としてプロジェクタ１，１Ａを例示したが、本発明はこれに限らない。すなわち、信号線が接続される接続部及び当該信号線が挿通する孔部を有する回路基板と、当該信号線を介して回路基板と接続され、当該回路基板からの信号の入力及び回路基板への信号の出力の少なくともいずれかを行う処理装置とを備えた電子機器であれば、本発明を適用することは可能である。
【産業上の利用可能性】
【００５６】
本発明は、電子機器に利用することができ、特に画像情報を処理する制御基板と、当該制御基板に信号線を介して接続され、かつ、当該制御基板から出力された画像情報に応じた画像を形成する光変調装置とを備えたプロジェクタに、好適に利用することができる。
【図面の簡単な説明】
【００５７】
【図１】本発明の第一実施形態に係るプロジェクタを示す斜視図。
【図２】前記実施形態におけるプロジェクタを示す斜視図。
【図３】前記実施形態における光学ユニットの光学系を示す模式図。
【図４】前記実施形態における制御基板を上側から見た斜視図。
【図５】前記実施形態における制御基板を下側から見た斜視図。
【図６】前記実施形態における制御基板に取付られるノイズ除去部材を示す斜視図。
【図７】前記実施形態におけるプロジェクタを示す断面図。
【図８】本発明の第二実施形態に係るプロジェクタを示す断面図。
【符号の説明】
【００５８】
１，１Ａ…プロジェクタ（電子機器）、２…外装ケース（筐体）、５…制御基板（回路基板）、５Ａ…実装面、５Ｂ…面（反対側の面）、７，８…ノイズ除去部材、４６…ＦＰＣ（信号線）、５１…コネクタ（接続部）、５２…孔部、７１…挿通孔、７３…当接部、８１…ノイズ除去部、８２…被覆部、２１３…押さえ部、４４１…液晶パネル（処理装置）、８１１…挿通孔、８２３…当接部、８２４…当接部（他の当接部）。
【図１】
2009118328.tif 000003
【図２】
2009118328.tif 000004
【図３】
2009118328.tif 000005
【図４】
2009118328.tif 000006
【図５】
2009118328.tif 000007
【図６】
2009118328.tif 000008
【図７】
2009118328.tif 000009
【図８】
2009118328.tif 000010